(57)【要約】【課題】ロッドアンテナ３０と無線通信用基板３１とを予め接続コード３３で接続した状態で、本体ケース２に対して取付け、取り外し作業を容易にする。【解決手段】ロッドアンテナ３０を本体ケース２に穿設された挿通孔３４を介して取付する場合、挿通孔３４の直径は、ロッドアンテナ３０とＬ型の取付基部３２及び取付け用ホルダ３６における先端部である円形環体３７のみが本体ケース２の内側から通過し得る程度の大きさである。取付基部３２から延びる接続コード３３に取付け用ホルダ３６を予め挿通させる。接続コード３３の一端を無線通信用基板３１に予め接続する。ロッドアンテナ３０とその取付基部３２とを本体ケース２の内部側から挿通孔３４を介して外に臨ませ、次いで、ロッドアンテナ３０の取付基部３２に、取付け用ホルダ３６を被嵌させると、大径の挿通孔３４の隙間を取付け用ホルダ３６の先端部で埋めることができる。その後、本体ケース２の内部の固定部にて、取付け用ホルダ３６と取付基部３２とを止めネジ４３にて固定する。【選択図】図８
2007295108.tif 000002
【特許請求の範囲】
【請求項１】
取付基部がＬ型に形成されたロッドアンテナを本体ケースに着脱可能に装着する取付構造であって、
大径鍔部が備えられた取付け用ホルダは前記ロッドアンテナの取付基部に被嵌可能に形成され、
前記取付基部から延びる接続コードに前記取付け用ホルダを予め挿通させると共に、前記接続コードの一端が無線通信用基板に接続されており、
前記本体ケースには、前記ロッドアンテナとその取付基部のみが本体ケースの内側から通過し得る挿通孔が形成され、
前記本体ケースの内部には、前記取付け用ホルダと前記取付基部とを固定するための固定部を有することを特徴とするロッドアンテナの取付構造。
【請求項２】
前記挿通孔には前記取付け用ホルダの先端部のみが挿通され、且つ前記大径鍔部が本体ケースの内面に当接されるように構成されていることを特徴とする請求項１に記載のロッドアンテナの取付構造。
【請求項３】
前記固定部には前記取付け用ホルダと前記取付基部とがネジ止めされており、そのネジ固定方向が前記挿通孔の軸線と交差する方向であることを特徴とする請求項１または２に記載のロッドアンテナの取付構造。
【請求項４】
前記無線通信用基板には、第２のアンテナ部材が接続コードを介して連結されており、
前記本体ケースの内面には、前記第２のアンテナ部材を前記ロッドアンテナと異なる指向方向となりうるように配置固定するための固定部を備えたことを特徴とする請求項１乃至３のいずれかに記載のロッドアンテナの取付構造。
【発明の詳細な説明】
【技術分野】
【０００１】
本発明は、ファクシミリや親子式電話機等のための無線通信装置に適用されるロッドアンテナの取付構造に関するものである。
【背景技術】
【０００２】
従来から、親子式電話機における親機、携帯用のテレビジョン受像機、ラジオ受信機等には、受信用または送信用のアンテナとしてロッドアンテナが本体ケースの外側に突出して立設するように取り付けられた構成が周知である。その場合、ロッドアンテナの基部を合成樹脂製の本体ケースに取り付ける構成として、例えば、特許文献１では、ロッドアンテナの円柱状基部の先端にピンを介してロッドアンテナを折り畳み可能に連結する一方、円柱状基部の小径の雄ねじ部のみを本体ケースに穿設された取付孔から本体ケース内に臨ませ、その雄ねじ部を本体ケースの内面にてナット止めして固定するという構成である。
【０００３】
特許文献２では、筒軸状であって、中心導体部とホルダ部をネジ嵌合させて一体形成されるアンテナコネクタの外周の一端には、アンテナコネクタの中心軸と平行にカットされた端面を有する半円環部と、無線機の金属製のフレームとネジ嵌合する第１雄ねじ部と、連なって前記フレームに挿通される円筒軸部と、かしめ結合された同軸ケーブルとをアンテナコネクタの基部に有し、このアンテナコネクタを前記フレームの外面側から天面にネジ嵌合するための第２雄ねじ部をアンテナコネクタの上部に有するものとする。そして、このアンテナコネクタを本体ケースに穿設された取付孔に対して、前記フレームの外側から挿入してねじ嵌合した後、半円環部の端面と当接する回転防止板を前記フレームの内面に固定し、その後、アンテナコネクタとの嵌合孔を設けた操作パネル（外ケース）を外側から挿通して前記第２雄ねじ部をナット締めする構成が開示されている。
【特許文献１】実開昭５３−８４２６１号公報
【特許文献２】実開平０５−４１２０９号公報
【発明の開示】
【発明が解決しようとする課題】
【０００４】
しかしながら、特許文献１の構成では、本体ケース内に配置した無線通信用基板に一端を予め半田付け等したケーブルの他端に円環状の取付片を半田付けにて固定しておき、この取付片を雄ねじ部に被嵌させた状態で前記ナット止めするという作業が必要となる。
【０００５】
他方、特許文献２の構成では、上述のように必要部品点数が多いのに加えて、ロッドアンテナをさらにアンテナコネクタに連結しなければならず、取り付け（組み付け）、分解の作業に手間取るという問題があった。
【０００６】
いずれにしても、無線通信用基板とロッドアンテナとを前もってケーブルで連結することができず、ケーブルの連結作業の手間（時間）が多く掛かり、これも製造コスト高になる原因となるのであった。
【０００７】
本発明は、上記従来技術の問題点を解決して、簡単な構成でもって、ケーブルの連結等の組付け作業に手間取らないようにしたロッドアンテナの取付構造を提供することを目的とするものである。
【課題を解決するための手段】
【０００８】
上記目的を達成するため、請求項１に記載の発明のロッドアンテナの取付構造は、取付基部がＬ型に形成されたロッドアンテナを本体ケースに着脱可能に装着する取付構造であって、大径鍔部が備えられた取付け用ホルダは前記ロッドアンテナの取付基部に被嵌可能に形成され、前記取付基部から延びる接続コードに前記取付け用ホルダを予め挿通させると共に、前記接続コードの一端が無線通信用基板に接続されており、前記本体ケースには、前記ロッドアンテナとその取付基部のみが本体ケースの内側から通過し得る挿通孔が形成され、前記本体ケースの内部には、前記取付け用ホルダと前記取付基部とを固定するための固定部を有するものである。
【０００９】
請求項２に記載の発明は、請求項１に記載のロッドアンテナの取付構造において、前記挿通孔には前記取付け用ホルダの先端部のみが挿通され、且つ前記大径鍔部が本体ケースの内面に当接されるように構成されているものである。
【００１０】
請求項３に記載の発明は、請求項１または２に記載のロッドアンテナの取付構造において、前記固定部には前記取付け用ホルダと前記取付基部とがネジ止めされており、そのネジ固定方向が前記挿通孔の軸線と交差する方向であることを特徴とするものである。
【００１１】
請求項４に記載の発明は、請求項１乃至３のいずれかに記載のロッドアンテナの取付構造において、前記無線通信用基板には、第２のアンテナ部材が接続コードを介して連結されており、前記本体ケースの内面には、前記第２のアンテナ部材を前記ロッドアンテナと異なる指向方向となりうるように配置固定するための固定部を備えたものである。
【発明の効果】
【００１２】
請求項１に記載の発明の構成では、本体ケースに穿設された挿通孔を介して取り付する場合、挿通孔の直径は、ロッドアンテナとそのＬ型の取付基部及び取付け用ホルダにおける先端部である円形環体のみが本体ケースの内側から通過し得る程度の大きさである。そして、取付基部から延びる接続コードに取付け用ホルダを予め挿通させると共に、接続コードの一端が無線通信用基板に接続されているものであるので、ロッドアンテナとその取付基部とを本体ケースの内部側から挿通孔を介して外に臨ませ、次いで、ロッドアンテナの取付基部に、大径鍔部が備えられた取付け用ホルダを被嵌させると、Ｌ型取付基部を通過させる大径の挿通孔の隙間を取付け用ホルダの先端部で埋めることができる。その後、本体ケースの内部の固定部にて、取付け用ホルダと取付基部とを止めネジにて固定すれば良い。ロッドアンテナの取り外しは上記の逆の順序で行える。
【００１３】
本発明では、ロッドアンテナと無線通信用基板とを予め接続コードで連結（接続）した状態で、上述のような組み付け、取り外し作業ができるので、ロッドアンテナに関連した複数の部品を予め接続（連結）して１つのユニットとして取り扱いすることができ、これらの部品、ユニットの修理や製品管理、組み立て管理が容易となるという効果を奏する。
【００１４】
請求項２に記載の発明によれば、挿通孔には取付け用ホルダの先端部である円形環体のみが挿通し、且つ大径鍔部が本体ケースの内面に当接するように構成されているものであるので、ロッドアンテナの取付基部に、大径鍔部が備えられた取付け用ホルダを被嵌させると、Ｌ型取付基部を通過させる大径の挿通孔の隙間を取付け用ホルダの先端部で埋めることができるという効果を奏する。
【００１５】
請求項３に記載の発明によれば、前記固定部には前記取付け用ホルダと前記取付基部とがネジ止めされており、ロッドアンテナの取付基部と取付け用ホルダとの固定部における固定方向が挿通孔の軸線と交差する方向であるので、本体ケースの内面に設ける取付支持部の箇所の設定が容易で、広範囲に選択できる。
【００１６】
請求項４に記載の発明によれば、無線通信用基板には、第２のアンテナ部材が接続コードを介して連結されており、本体ケースの内面には、第２のアンテナ部材をロッドアンテナと異なる指向方向となりうるように配置固定するので、本体ケースを配置する向きを変えても、コードレスの子機との送受信の性能を悪化させることがないという効果を奏する。
【発明を実施するための最良の形態】
【００１７】
以下、適宜図面が参照されつつ、好ましい実施形態に基づいて本発明が詳細に説明される。
【００１８】
図１は本発明の一実施形態に係る多機能装置の外観斜視図、図２は上部ケース（スキャナ部）をハウジング（本体ケース）に対して上開きした状態の斜視図、図３は記録部の要部側断面図、図４はロッドアンテナ及び無線通信用基板等の組み込み前の分解斜視図、図５（ａ）〜（ｃ）はロッドアンテナを示す図、図６（ａ）〜（ｇ）は取付け用ホルダを示す図、図７はロッドアンテナ及び無線通信用基板等の組み込み状態を示す斜視図、図８はロッドアンテナの取付け部分を示す要部拡大側断面図である。
【００１９】
本実施形態は、画像記録装置の一例である、プリンタ機能、コピー機能、スキャナ機能、ファクシミリ機能及びコードレス電話機能を備えた多機能装置１（ＭＦＤ：Multi Fun-ction Device ）に本発明を適用したものである。多機能装置１は、図示されていないコンピュータや電話通信網に接続可能であり、このコンピュータや他のファクシミリ装置から送信された画像データや文書データに基づいて、被記録媒体の一例としての記録用紙に画像や文書を記録することができる。また、多機能装置１は、デジタルカメラ等の外部機器と接続されてデジタルカメラから出力される画像データを記録用紙に記録することができる。
【００２０】
本実施形態では、図１に示すように、合成樹脂製の本体ケース（ハウジング）２の下部にプリンタ部（記録部）７が備えられている。そして、本体ケース２の底部のカセット収納部（収納空間）に対して、本体ケース２の前側に開口された挿入口２ａから挿抜可能（実質上水平方向に出し入れ可能）な給紙カセット３が配置されている。以下、合成樹脂製の本体ケース２の挿入口２ａがある側を前側または前方といい、これを基準に装置の前側、左右側、後側（奥側）という。本体ケース２の前面部にはスロット部６が備えられ、このスロット部６にメモリカード等の各種記憶媒体が装填されることによって当該記憶媒体に記憶された画像データ等を記録用紙に記録することも可能である。
【００２１】
本体ケース２の上部には、コピー機能やファクシミリ機能における原稿読取などのための画像読取装置（スキャナ部）１２が画像読取部ケース１２ａ内に配置されている。そして本体ケース２は、後述する記録部７や給紙カセット３、インクカートリッジの収納部１５を収容した合成樹脂製等の内枠体（図示せず）の外側を覆う外装カバー体としての機能も有している。
【００２２】
本体ケース２の上側には、画像読取装置１２の前方に各種操作ボタンや液晶表示部等を備えた操作パネル部１４が設けられており、画像読取装置１２と操作パネル部１４との平面視投影面積内に、記録部７と排紙部１０などが配置される。この排紙部１０の一側（図１で右側）であって、本体ケース２の前部側に、インクカートリッジの収納装置１５（図２参照））が内蔵されている。そして、本体ケース２の前部側に下端を蝶番を介して上下回動して開閉する蓋体２ｂにて収納装置１５の前面側が覆われている。
【００２３】
画像読取装置１２の上面には、原稿を載置することができる載置用ガラス板（図示せず）が設けられ、その下側に原稿読取り用のイメージスキャナ装置（ＣＩＳ：Contact Ima-ge Sensor（図示せず））が図３の紙面と直交する方向（主走査方向、以下、Ｘ軸方向といい、主走査方向に延びる軸をＸ軸という）に往復移動可能に設けられている。
【００２４】
上記載置用ガラス板を覆う原稿カバー体１３はその後端部（図１及び図２で右奥側）が図示しない蝶番を介して画像読取部ケース１２ａに対して開閉回動自在に取り付けられている。
【００２５】
本実施形態では、図３に示すように、給紙カセット３は、被記録媒体としての例えばＡ４サイズ、レターサイズ、リーガルサイズ、はがきサイズ等にカットされた用紙Ｐをその短辺が用紙搬送方向（副走査方向、以下、Ｙ軸方向という）と直交する方向（図３において紙面と直交する方向、主走査方向、Ｘ軸方向）に延びるようにして複数枚積層（堆積）されて収納できる形態とする。給紙カセット３の上部には、小サイズの用紙（図示せず）を複数枚堆積させて供給する補助カセット３ａがＹ軸方向に移動可能に装着されている。
【００２６】
給紙カセット３の奥側（図３において右側）には、用紙分離用の傾斜分離板８が配置されている。他方、本体ケース２側には、上端部に回動軸を備え、この回動軸を中心として上下方向に回動可能なアーム６ａが装着されている。このアーム６ａの下端部に設けられた給紙ローラ６と、傾斜分離板８とが協働することにより、給紙カセット３及び補助給紙カセット３ａに堆積された被記録媒体である用紙Ｐが一枚ずつ分離搬送される。分離された用紙Ｐは上横向きのＵターンパス（給送路）９を介して給紙カセット３より後方の上側（高い位置）に設けられた記録部７に給送される。記録部７は、プリンタ機能などを実現するためのインクジェット式の記録ヘッド４が搭載された往復動可能なキャリッジ５等からなる。
【００２７】
記録部７にて記録された用紙Ｐがその記録面を上向きにして排出される排紙部１０は、補助給紙カセット３ａの上側に形成されており、排紙部１０に連通する排紙口１０ａ（挿入口２ａの上方、図１参照）が本体ケース２の前面に向かって開口されている。
【００２８】
記録部７は、図３に示すように、上面開放された枠状のメインフレーム２１における左右一対の側板(図示せず)にて支持され、Ｘ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルトと(図示せず)、そのタイミングベルトを駆動するＣＲ（キャリッジ）モータ（実施形態ではＤＣモータであるが、ステッピングモータ等他のモータでもよい。図示せず）と、記録ヘッド４の下面側にて搬送される用紙Ｐを支持する板状のプラテン２６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン２６上で用紙Ｐが通過する方向での用紙搬送方向（矢印Ａ方向、図３参照）の上流側に、第１ガイド部材２２が配置され、下流側に第２ガイド部材２３が配置されることになる。
【００２９】
また、プラテン２６を挟んで搬送上流側にレジストローラ対２７が配置されている。このレジストローラ対２７は用紙Ｐを記録ヘッド４の下面のノズル面とプラテン２６との隙間に搬送する。プラテン２６の下流側には、用紙Ｐの上面に接する拍車２８ｂと下面側の駆動する排紙ローラ２８ａとが配置されている。この排紙ローラ２８ａと拍車２８ｂとは記録済みの用紙Ｐを排紙部１０へと搬送する。
【００３０】
次に、図４〜図８を参照しながら、本発明に係るロッドアンテナ３０及び無線通信用基板３１の取付構造について説明する。図４及び図７では、本体ケース２を天地逆にして示している。ロッドアンテナ３０は、多機能装置１から離れた位置で通話するためのコードレス電話機（送受話器及びテンキー等の入力部を備えたハンドセット、図示せず）に対して送信電波を発信し且つ受信電波を受信するためのものである。本実施形態のロッドアンテナ３０は図１、図５等に示されているように、丸軸状のロッド部３０ａと、このロッド部３０ａの下端が連結された側面視Ｌ型の取付基部３２とからなり、この取付基部３２のうち、ロッド部３０ａの軸線と直交する方向に延びる外筒３２ａに対して短い長さの内筒３２ｂが丸軸状の外筒３２ａの軸線回りに略１８０度程度回動可能に嵌挿されている。そして、取付基部３２のコーナ部の内角から外角までの対角線方向の寸法Ｄ１（図５（ａ）参照）は、本体ケース２の縦板部、実施形態では、左右側板２ｃのうちの一方の側板２ｃであって、後側板２ｄに近い部位に穿設された挿通孔３４の直径Ｄ２（図８参照）より若干小さく設定されている。
【００３１】
この構成により、ロッドアンテナ３０のロッド部３０ａが多少長くても、このロッド部３０ａの先端側を本体ケース２の内側から挿通孔３４に挿入し、取付基部３２のＬ型のコーナ箇所を挿通孔３４から外に出すことが簡単にできる。
【００３２】
取付基部３２における内筒３２ｂの一端にはネジ止めのための孔３２ｄを有する矩形状の台座３２ｃが一体的に形成され、また、内筒３２ｂの一端から接続コード（ケーブル）３３が延びている。この接続コード３３の他端は無線通信用基板３１の所定箇所に半田付け等にて固定されている。ここで、無線通信用基板３１は、電話回線などの通信網を介して他の電話装置やファクシミリ装置との間で会話（信号）やファクシミリデータの送受信を可能にするためのＮＣＵ（ネットワークコントロールユニット）基板である。そして、無線通信用基板３１の電子部品が搭載されている側は、電磁波を遮蔽するための金属板製のカバー体３５にて覆われている（図４参照）。
【００３３】
次に、図６を参照して取付け用ホルダ３６の構成が詳細に説明される。取付け用ホルダ３６は、ロッドアンテナ３０の取付基部３２に被嵌された状態で本体ケース２における上記挿通孔３４に嵌め込まれることによりロッドアンテナ３０を本体ケース２に対して着脱可能に取り付けるためのホルダである。この取付け用ホルダ３６は、取付基部３２における外筒３２ａに被嵌する円形環体３７とその外周に一体形成された大径鍔部３７ａと、円形環体３７の内径部から上記外筒３２ａの外周にその軸線に沿って延びる門型の枠部３８と、円形環体３７の外径部から枠部３８と略平行に延びる拘束片３９とを有する。そして、枠部３８の先端片３８ａの片面は、上記ロッドアンテナ３０の取付基部３２における台座３２ｃが載置できるように平面状に形成され、先端片３８ａに穿設された通孔４０と台座３２ｃにおける孔３２ｄとが連通するように構成されている。
【００３４】
他方、本体ケース２の内部であって天板２ｅの内面には、上記挿通孔３４の近傍位置に、上記取付け用ホルダ３６における門型の枠部３８の先端片３８ａの他面を載置するための取付支持部４１が一体的に形成されている（図４、図７及び図８参照）。この取付支持部４１には、上記先端片３８ａに穿設された通孔４０と台座３２ｃにおける孔３２ｄとを挿通して止めネジ４３にて締着するための雌ねじ部４２が形成されている（図８参照）。
【００３５】
上記の構成によるロッドアンテナ３０の本体ケース２に対する組み付け方法を説明する。まず、接続コード３３を取付け用ホルダ３６の円形環体３７の内径部に通した状態で、ロッドアンテナ３０と無線通信用基板３１とを予め所定長さの接続コード３３にて接続しておく。その場合、取付け用ホルダ３６の円形環体３７側がロッドアンテナ３０における取付基部３２に先に嵌まる向きにしておく。
【００３６】
次いで、ロッドアンテナ３０のロッド部３０ａの先端部を本体ケース２の内面側から挿通孔３４に通した後、取付基部３２のコーナ部が挿通孔３４を通過するとき９０度方向転換させることで、挿通孔３４と取付基部３２における外筒３２ａとの軸線がほぼ一致することになる。次いで、挿通孔３４に対して本体ケース２の内面側から取付け用ホルダ３６の円形環体３７を差し込むと、大径鍔部３７ａが挿通孔３４の周辺の本体ケース２の内面に当接できることになる。この状態では、取付基部３２における外筒３２ａより大きい直径の挿通孔３４の隙間を円形環体３７で埋めることができ、外観が向上する。他方、取付け用ホルダ３６における先端片３８ａの片面と取付基部３２における台座３２ｃとが重ね合わされることにより、通孔４０と孔３２ｄとが連通した状態となっている。この状態で、取付け用ホルダ３６における先端片３８ａの他面が取付支持部４１に載せられ、止めネジ４３によって先端片３８ａと台座３２ｃとが取付支持部４１に共締めされるのである（図８参照）。
【００３７】
次いで、接続コード３３の中途部が、本体ケース２の側板２ｃの内面に形成されている複数箇所のリブ４６ａ，４６ｂ，４６ｃの切欠き部（図示せず）等に嵌め込まれて拘束される。その場合、上記内筒３２ｂから延びる接続コード３３の中途部が取付け用ホルダ３６における円形環体３７と拘束片３９との間に通されることで、接続コード３３の中途部が弛んで位置ずれすることが防止され得る。さらに、無線通信用基板３１は本体ケース２の天板２ｅの内面に所定箇所にネジ止めされるのである（図７参照）。
【００３８】
本実施形態では、上記ロッドアンテナ３０の指向方向と異なる指向方向の電波を効率良く送受信するための第２アンテナ部材４４が多機能装置１に搭載されるため、図４に示されるように、無線通信用基板３１と第２アンテナ部材４４とは予め接続されている。本実施形態では、第２アンテナ部材４４は扁平な板状である。そして、第２アンテナ部材４４は本体ケース２の後側板２ｄの内面に形成されているリブ４６ｅ，４６ｆの切欠き部に差し込まれる。そして、接続コード４５の中途部も上記の複数箇所のリブ４６ａ，４６ｂ，４６ｃの切欠き部（図示せず）等に嵌め込まれて拘束され、位置固定されるのである。
【００３９】
なお、取付け用ホルダ３６における円形環体３７と拘束片３９との間に接続コード３３、４５の中途部が通過されて拘束されることで、接続コード３３、４５が自由に位置ずれするのを防止することができる。また、本体ケース２の側板２ｃ等の内面に近接させて接続コード３３、４５が配線されることにより、ロッドアンテナ３０や第２アンテナ部材４４は他の電子部品からのノイズを拾い難くなる。
【００４０】
上述のように、本発明のロッドアンテナ３０の取付構造は、取付基部３２がＬ型に形成されたロッドアンテナ３０が本体ケース２に穿設された挿通孔３４を介して取り付けられる。この場合、挿通孔３４の直径は、ロッドアンテナ３０とそのＬ型の取付基部３２及び取付け用ホルダ３６における先端部である円形環体３７のみが本体ケース２の内側から通過し得る程度の大きさである。そして、取付基部３２から延びる接続コード３３に取付け用ホルダ３６を予め挿通させると共に、接続コード３３の一端が無線通信用基板３１に接続されている。そのため、ロッドアンテナ３０とその取付基部３２とを本体ケース２の内部側から挿通孔３４を介して外に臨ませ、次いで、ロッドアンテナ３０の取付基部３２に、大径鍔部３７ａが備えられた取付け用ホルダ３６を被嵌させると、Ｌ型取付基部３２を通過させる大径の挿通孔３４の隙間を取付け用ホルダ３６の先端部で埋めることができる。その後、本体ケース２の内部の固定部にて、取付け用ホルダ３６と取付基部３２とを止めネジ４３にて固定すれば良い。ロッドアンテナ３０の取り外しは上記の逆の順序で行える。
【００４１】
本発明では、ロッドアンテナ３０と無線通信用基板３１とを予め接続コード３３で連結（接続）した状態で、上述のような組み付け、取り外し作業ができるので、ロッドアンテナ３０に関連した複数の部品を予め接続（連結）して１つのユニットとして取り扱うことができ、これらの部品、ユニットの修理や製品管理、組み立て管理が容易となるという効果を奏する。
【００４２】
挿通孔３４には取付け用ホルダ３６の先端部である円形環体３７のみが挿通し、且つ大径鍔部３７ａが本体ケース２の内面に当接するように構成されているものであるので、ロッドアンテナ３０の取付基部３２に、大径鍔部３７ａが備えられた取付け用ホルダ３６を被嵌させると、Ｌ型取付基部３２を通過させる大径の挿通孔３４の隙間を取付け用ホルダ３６の先端部で埋めることができるという効果を奏する。
【００４３】
そして、固定部である取付支持部４１における前記止めネジ４３の固定方向が挿通孔３４の軸線と交差する方向であるので、本体ケース２の内面に設ける取付支持部４１の箇所の設定が容易で、広範囲に選択できる。
【００４４】
無線通信用基板３１には、第２アンテナ部材４４が接続コード４５を介して連結されており、本体ケース２の内面には、第２アンテナ部材４４がロッドアンテナ３０と異なる指向方向となりうるように配置固定されるので、本体ケースを配置する向きを変えても、コードレスの子機との送受信の性能を悪化させることがないという効果を奏する。
【００４５】
本発明は、上記本実施形態の電話機能を有する多機能装置の他、無線信号（電波）を送信また受信する電気製品、例えば、ワイヤレス（コードレス）の子機を有する親子電話機における親機、携帯用のテレビジョン受像機、携帯用のラジオなど、ロッドアンテナを使用する各種の電子機器にも適用できることはいうまでもない。
【図面の簡単な説明】
【００４６】
【図１】本発明の一実施形態に係る多機能装置の外観斜視図である。
【図２】画像読取部を本体ケース対して上開きした状態の斜視図である。
【図３】記録部の要部側断面図である。
【図４】ロッドアンテナ及び無線通信用基板等の組み込み前の分解斜視図である。
【図５】（ａ）はロッドアンテナの側面図、（ｂ）は正面図、（ｃ）は上面図である。
【図６】（ａ）及び（ｂ）は取付け用ホルダの斜視図、（ｃ）は（ａ）図のVIc −VIc 線矢視断面図、（ｄ）は取付け用ホルダの上面図、（ｅ）は（ｄ）図の右側面図、（ｆ）は（ｄ）図の左側面図、（ｇ）は正面図である。
【図７】ロッドアンテナ及び無線通信用基板等の組み込み状態を示す斜視図である。
【図８】ロッドアンテナの取付け部分を示す要部拡大側断面図である。
【符号の説明】
【００４７】
１    多機能装置
２    本体ケース
２ｃ  側板
３０    ロッドアンテナ
３０ａ  ロッド部
３１    無線通信用基板
３２    取付基部
３２ａ  外筒
３２ｃ  台座
３２ｄ  孔
３３、４５    接続コード
３４    挿通孔
３５    カバー体
３６    取付け用ホルダ
３７    円形環体
３７ａ  大径鍔部
３８    枠部
３８ａ  先端片
３９    拘束片
４０    通孔
４１    固定部としての取付支持部
４３    止めネジ
【図１】
2007295108.tif 000003
【図２】
2007295108.tif 000004
【図３】
2007295108.tif 000005
【図４】
2007295108.tif 000006
【図５】
2007295108.tif 000007
【図６】
2007295108.tif 000008
【図７】
2007295108.tif 000009
【図８】
2007295108.tif 000010